(57)【要約】【課題】  購入当初での製品価格の低廉化ができると共に、使用時の安全性に優れるようにする。【解決手段】  無線アダプタ１７を本体１１に対し着脱可能に具え、その本体１１に無線アダプタ１７を装着した状態で、該無線アダプタ１７の少なくとも人が触れる部分であって、且つ、内部に導電部２２を有する部分の絶縁物から成る外殻１９の殻厚ｔを、２〔ｍｍ〕以上とした。【選択図】  図１
2006014011.tif 000002
【特許請求の範囲】
【請求項１】
制御部を内蔵した本体と、
外部機器と無線で接続される無線アダプタとを具備し、
その無線アダプタが前記制御部に接続され、
前記外部機器から無線で制御信号を受け取り作動するものにおいて、
前記無線アダプタを前記本体に対し着脱可能に具え、
その本体に無線アダプタを装着した状態で、該無線アダプタの少なくとも人が触れる部分であって、且つ、内部に導電部を有する部分の絶縁物から成る外殻の殻厚を、２〔ｍｍ〕以上としたことを特徴とするネットワーク家電機器。
【請求項２】
無線アダプタが、本体に設けられたスロットに抜き取り可能に差し込まれて装着されることを特徴とする請求項１記載のネットワーク家電機器。
【請求項３】
スロットの出入口を開閉する蓋を有することを特徴とする請求項２記載のネットワーク家電機器。
【請求項４】
無線アダプタが本体に装着された状態で、本体と無線アダプタとの間を密封するパッキンを有することを特徴とする請求項１記載のネットワーク家電機器。
【請求項５】
無線アダプタが本体に装着された状態で、該無線アダプタの一部が本体外に突出することを特徴とする請求項１記載のネットワーク家電機器。
【発明の詳細な説明】
【技術分野】
【０００１】
本発明は、外部機器から無線で制御信号を受け取り作動するネットワーク家電機器に関する。
【背景技術】
【０００２】
図８に、従来の例えば冷蔵庫や電子レンジといった、この種のネットワーク家電機器を示す。この従来のネットワーク家電機器においては、本体１に、ネットワーク接続ユニットとしての無線アダプタ２が、制御部３と共に内蔵され、制御部３に無線アダプタ２が有線４にて接続されている。
【０００３】
この状態で、ネットワーク家電機器は、外部機器例えばホームサーバ５から無線アダプタ２に無線で制御信号Ａを受け取り、無線アダプタ２から制御部３に制御要求Ｂがなされることに基づき、作動するようになっている。又、制御部３からは状態通知Ｃが無線アダプタ２になされ、無線アダプタ２からは状態通知信号Ｄがホームサーバ５（外部機器）に送られるようになっている。
【特許文献１】特開２００３−１９８２４６号公報
【発明の開示】
【発明が解決しようとする課題】
【０００４】
しかしながら、このように無線アダプタ２が制御部３と共に本体１に内蔵されて接続構成されたものは、購入当初から製品価格が高く、入手しがたいものであった。
【０００５】
本発明は上述の事情に鑑みてなされたものであり、従ってその目的は、購入当初での製品価格の低廉化ができることを主として、更には、使用時の安全性に優れるネットワーク家電機器を提供するにある。
【課題を解決するための手段】
【０００６】
上記目的を達成するために、本発明のネットワーク家電機器においては、制御部を内蔵した本体と、外部機器と無線で接続される無線アダプタとを具備し、その無線アダプタが前記制御部に接続され、前記外部機器から無線で制御信号を受け取り作動するものにおいて、前記無線アダプタを前記本体に対し着脱可能に具え、その本体に無線アダプタを装着した状態で、該無線アダプタの少なくとも人が触れる部分であって、且つ、内部に導電部を有する部分の絶縁物から成る外殻の殻厚を、２〔ｍｍ〕以上としたことを特徴とする。
【発明の効果】
【０００７】
上記手段によれば、無線アダプタを別売りとすることによって、購入当初には無線アダプタを除いて製品を購入すれば良く、その分、購入当初での製品価格の低廉化ができる。
そして、その後、必要に応じて無線アダプタを購入し、本体に装着して使用すれば良い。しかして、その使用時には、無線アダプタを本体に装着するときや、装着状態を維持するとき、あるいは取外すときときに、無線アダプタに使用者を初め人が触れる。それに対し、無線アダプタの少なくとも人が触れる部分であって、且つ、内部に導電部を有する部分の絶縁物から成る外殻の殻厚を、２〔ｍｍ〕以上としていることにより、充分な電気的安全性が確保される。よって、人が必要に応じ又無意識に無線アダプタに触れても、電気的に何ら問題なくできる。
【発明を実施するための最良の形態】
【０００８】
以下、本発明の第１実施例（第１の実施形態）につき、図１ないし図３を参照して説明する。
まず、図２に示すネットワーク家電機器の本体１１は、一般にマイクロコンピュータから成る制御部１２を内蔵しており、且つ、スロット１３を有している。このスロット１３は、本体１１の一側面から内方へ延びる穴であり、出入口１４が本体１１の一側面に存している。又、このスロット１３の奥部には、接続部１５が存し、これと制御部１２とをＵＡＲＴケーブル等の有線１６にて接続している。
【０００９】
これらに対して、１７は無線アダプタを示しており、これは前記本体１１に対し着脱可能に構成したもので、具体的には、前記スロット１３に抜き取り可能に差し込まれて装着されるように構成したものである（図２にはその差し込み方向を矢印Ｘにて示している）。又、この無線アダプタ１７の先端部には、前記接続部１５と対応する接続部１８を設けており、図３に示すように、無線アダプタ１７をスロット１３に差し込んで本体１１に装着したとき、その接続部１８が接続部１５に例えばプラグイン方式で接続され、ひいては無線アダプタ１７が前記制御部１２に接続されるようになっている。
【００１０】
しかして、図１は、無線アダプタ１７を本体１１に装着した状態で詳細に表しており、無線アダプタ１７は、一部１７ａが本体１１外に突出している。又、無線アダプタ１７は、プラスチック等の絶縁物から成る外殻１９のその突出部分１７ａに、取り出し時の手の掛かりを良くするための段部２０を有しており、更に、その突出部分１７ａの内部にはアンテナ２１を内蔵し、そのほか、ＩＣや抵抗等の導電部２２を内蔵している。なお、上記アンテナ２１や導電部２２は、他の回路部品２３と共に、回路基板２４に実装していて、該回路基板２４ごと外殻１９に内蔵している。
【００１１】
そして、無線アダプタ１７は、外殻１９の上記突出部分１７ａを含む全体の殻厚ｔを、２〔ｍｍ〕以上としている。
【００１２】
以上の構成で、本体１１は、従来同様に、外部機器例えば図示しないホームサーバから無線アダプタ１７、特にはこれのアンテナ２１に無線で制御信号Ａを受け取り、無線アダプタ１７から制御部１２に制御要求Ｂがなされることに基づき、作動するようになっている。又、制御部１２からは状態通知Ｃが無線アダプタ１７になされ、無線アダプタ１７からは状態通知信号Ｄがホームサーバ（外部機器）に送られるようになっている。
【００１３】
さて、上記構成のものの場合、無線アダプタ１７は本体１１に対し着脱可能に具えられたもので、本体１１とは分離される部品であり、従って、無線アダプタ１７を本体１１とは別に販売する別売り部品とすることによって、購入当初には無線アダプタ１７を除いて製品（本体１１）を購入すれば良く、その分、購入当初での製品価格の低廉化ができる。
【００１４】
そして、その後、必要に応じて無線アダプタ１７を購入し、本体１１に装着して使用すれば良い。しかして、その使用時には、無線アダプタ１７を本体１１に装着するときや、装着状態を維持するとき、あるいは取外すときときに、無線アダプタ１７に使用者を初め人が触れる。その触れる部分は、上記構成のものの場合、無線アダプタ１７の本体１１から突出した部分１７ａであり、この無線アダプタ１７の人が触れる部分であって、且つ、内部に導電部２２を有する部分の絶縁物から成る外殻１９の殻厚ｔは、２〔ｍｍ〕以上としている。これにより、充分な電気的安全性が確保されるので、人が必要に応じ又無意識に無線アダプタ１７に触れても、電気的に何ら問題なくできる。
【００１５】
なお、この場合、無線アダプタ１７は、外殻１９の上記突出部分１７ａを含む全体の殻厚ｔを、２〔ｍｍ〕以上としているが、突出部分１７ａのみ、殻厚ｔを２〔ｍｍ〕以上としても良い。
【００１６】
加えて、本構成のものの場合、無線アダプタ１７は、本体１１に設けたスロット１３に抜き取り可能に差し込まれて装着されるようにしており、これによって、本体１１への無線アダプタ１７の装着がその差し込みででき、本体１１からの取出しは抜き取りでできるので、無線アダプタ１７の本体１１に対する着脱が容易にできる。
【００１７】
又、無線アダプタ１７が本体１１に装着された状態では、無線アダプタ１７の一部１７ａが本体１１外に突出するようにもしており、これによって、本体１１からの取出しがその突出部分１７ａを持って容易にできる。更に、その突出部分１７ａにはアンテナ２１を位置させていることにより、無線アダプタ１７の受・送信の感度を良くすることができる。
【００１８】
以上に対して、図４ないし図７は本発明の第２ないし第５実施例（第２ないし第５の実施形態）を示すもので、第１実施例と同一の部分には同一の符号を付して説明を省略し、異なる部分についてのみ述べる。
［第２実施例］
図４に示す第２実施例においては、スロット１３の出入口１４を開閉する蓋３１を設けている。この蓋３１は、詳細には、本体１１とは別体で、周縁部の全周又は複数箇所にフック部３２を有し、それの近くにパッキン３３を有している。
【００１９】
そして、それに対応して、本体１１のスロット１３における出入口１４の周縁部には、フック受け部３４とパッキン３５とを設けている。
この構成で、本体１１のスロット１３から無線アダプタ１７を抜き取った状態にて、フック部３２をフック受け部３４に押し当てて係合させれば、蓋３１がスロット１３の出入口１４を閉塞し、該閉塞状態に保持される。
【００２０】
かくして、無線アダプタ１７を抜き取ったスロット１３の防塵、防水、ひいては本体１１の防塵、防水が、蓋３１にてできる。
又、上記蓋３１によるスロット１３の出入口１４の閉塞状態では、パッキン３３がパッキン３５に圧接して、スロット１３の出入口１４と蓋３１との間を密封する。かくして、上記スロット１３の防塵、防水がより確実にできる。
【００２１】
［第３実施例］
図５に示す第３実施例においても、スロット１３の出入口１４を開閉する蓋４１を設けている。この蓋４１は、スロット１３の出入口１４からその上方部に形成した溝部４２へスライド可能に設けたものであり、そのスライドにより出入口１４を開閉するようにしている。
又、溝部４２と蓋４１には、係合部である凸部４３と被係合部である凹部４４とを形成し、これらが蓋４１の開閉の各位置で係合することにより、蓋４１をその開閉の各位置に留めるようにしている。
【００２２】
更に、スロット１３の出入口１４の下縁部から両側縁部（下縁部のみ図示）、並びに蓋４１の下縁部から両側縁部（これも下縁部のみ図示）には、それぞれパッキン４５，４６を設けて、それらが蓋４１の閉位置で接することにより、スロット１３の出入口１４と蓋３１との間の密封をするようにし、そのほか、無線アダプタ１７の上縁部と下縁部及び両側縁部（これは上縁部と下縁部のみ図示）にも、パッキン４７を設けて、これがスロット１３に対する無線アダプタ１７の差し込み位置でパッキン４５，４６（特にパッキン４６は、開放した蓋４１の下縁部に存する部分）に接することにより、本体１１と無線アダプタ１７との間の密封をするようにしている。
【００２３】
かくして、この場合も、無線アダプタ１７を抜き取ったスロット１３の防塵、防水がより確実にでき、更に、無線アダプタ１７を差し込んだ状態でのスロット１３の防塵、防水も、より確実にできる。
【００２４】
［第４実施例］
図６に示す第４実施例においても、スロット１３の出入口１４を開閉する蓋５１を設けている。この蓋５１は、スロット１３の出入口１４直上の部分に設けた蓋支持部５２に支軸５３によって上下回動可能に設けたものであり、その回動により出入口１４を開閉するようにしている。
【００２５】
又、この場合も、スロット１３の出入口１４の上縁部と下縁部及び両側縁部（上縁部と下縁部のみ図示）、並びに無線アダプタ１７の上縁部と下縁部及び両側縁部（これも上縁部と下縁部のみ図示）には、それぞれパッキン５４，５５を設けて、これらがスロット１３に対する無線アダプタ１７の差し込み位置で接することにより、本体１１と無線アダプタ１７との間の密封をするようにしている。
【００２６】
かくして、この場合も、無線アダプタ１７を差し込んだ状態でのスロット１３の防塵、防水が、より確実にできる。
なお、５１ａは蓋５１の開閉のためのつまみ部を示している。
【００２７】
［第５実施例］
図７に示す第５実施例においては、スロット６１を、スロット１３に代えて、それより奥深く形成し、それによって無線アダプタ１７の全部を収納するようにしている。又、このスロット６１の出入口６２から少々奥に入った部分の上面部と下面部及び両側面部（これも上面部と下面部のみ図示）には、無線アダプタ１７よりも大きな空間部６３を形成し、これによって、無線アダプタ１７をつまんでの抜き取りが問題なくできるようにしている。
なお、蓋４１と、溝部４２、パッキン４５，４７は、第３実施例と同様である。
【００２８】
しかして、この場合、無線アダプタ１７の全部がスロット６１に収納され、そして、そのスロット６１の出入口６２を蓋４１で閉鎖するものの、無線アダプタ１７を抜き取るときには、蓋４１を開けて空間部６３で囲われた無線アダプタ１７の部分を人が持つので、その部分が人が触れる部分である。
【００２９】
このほか、本発明は上記し且つ図面に示した実施例にのみ限定されるものではなく、要旨を逸脱しない範囲内で適宜変更して実施し得る。
【図面の簡単な説明】
【００３０】
【図１】本発明の第１実施例を示す主要部分の断面図
【図２】全体の無線アダプタ取外し状態での概略構成図
【図３】全体の無線アダプタ装着状態での概略構成図
【図４】本発明の第２実施例を示す主要部分の断面図
【図５】本発明の第３実施例を示す主要部分の断面図
【図６】本発明の第４実施例を示す主要部分の断面図
【図７】本発明の第５実施例を示す主要部分の断面図
【図８】従来例を示す図３相当図
【符号の説明】
【００３１】
図面中、１１は本体、１２は制御部、１３はスロット、１４は出入口、１７は無線アダプタ、１９は外殻、２２は導電部、ｔは外殻の殻厚、３１，４１は蓋、４５，４６，４７はパッキン、５１は蓋、５４，５５はパッキン、６１はスロット、６２は出入口を示す。
【図１】
2006014011.tif 000003
【図２】
2006014011.tif 000004
【図３】
2006014011.tif 000005
【図４】
2006014011.tif 000006
【図５】
2006014011.tif 000007
【図６】
2006014011.tif 000008
【図７】
2006014011.tif 000009
【図８】
2006014011.tif 000010